(57)【要約】【課題】岩盤に設置した崩落予測器を用いて岩盤の崩落予測をするものであって、該設置する場合に、正確に水平状態に設置する等の手間が不要で、簡単にしかも暗い夜間でも照明器具無く観測できるものを提供する。【解決手段】球状のケーシング２にルミノール溶液５が封入された崩落予測器１を岩盤Ｒに設置し、そして過酸化水素水を吸入したシリンジ７の針７ｂをゴム質弾性材で形成した針通し部３に刺し通し、過酸化水素水をケーシング２に注入することでルミノール溶液が化学発光し、この化学発光したルミノール溶液の表面５ａの経緯度の変化を観測し、変化が予め設定された値に達したとき崩落の惧れがあると予測するようにしたもの。【選択図】図２
2010223857.tif 000002
【特許請求の範囲】
【請求項１】
岩盤の崩落予測器であって、該崩落予測器は、中空状のケーシングと、該ケーシングに施された経緯度の印と、ケーシングに封入された液状の第一の化学発光試薬と、該化学発光試薬を化学発光させるための第二の化学発光試薬をケーシングに注入するための注入手段とからなり、岩盤に固定した崩落予測器内に第二の化学発光試薬を注入することで発光した第一の化学発光試薬の表面が通る経緯度変化の観測ができるように構成されていることを特徴とする岩盤の崩落予測器。
【請求項２】
第二の化学発光試薬の注入手段は針付きのシリンジであり、ケーシングには針を刺し通すことができるゴム質弾性を有した針通し部が設けられていることを特徴とする請求項１記載の岩盤の崩落予測器。
【請求項３】
第二の化学発光試薬の注入手段は針無しのシリンジであり、ケーシングには、シリンジ先端を差し込んで発光触媒を注入するためのチューブが設けられていることを特徴とする請求項１記載の岩盤の崩落予測器。
【請求項４】
岩盤の崩落予測方法であって、中空状のケーシングと、該ケーシングに施された経緯度の印と、ケーシングに封入された液状の第一の化学発光試薬とからなる崩落予測器を岩盤に固定し、該固定した崩落予測器内に第二の化学発光試薬を注入することに伴い化学発光した第一化学発光試薬の表面が通る経緯度変化の観測に基づいて岩盤の崩落予測ができるようにしたことを特徴とする岩盤の崩落予測方法。
【発明の詳細な説明】
【技術分野】
【０００１】
本発明は、鉄道や道路、あるいは民家等の人間生活に関与するところに崩落する惧れがある岩盤の崩落予測器および崩落予測方法の技術分野に属するものである。
【背景技術】
【０００２】
今日、自然災害の一つとして、鉄道や道路、あるいは民家等の人間生活に関与するところに岩盤が崩落する場合がある。このような岩盤の崩落は、予測することが難しく、定期的に係員が巡回して岩盤の様子を観測し、崩落をする惧れのある岩盤を見つけ出す、という作業が強いられていたが、このような崩落の予測は係員によって個人差があり、正確に予測することが難しいという問題がある。
そこで岩盤上に水平状態に設置された載置台の表面に球体を載置し、岩盤が傾斜することに伴い載置台が傾斜すると、球体が載置台から落下することで崩落予測をするようにしたものが知られている（例えば特許文献１）。
【先行技術文献】
【特許文献】
【０００３】
【特許文献１】特開２００８−１７０４２６号公報
【発明の概要】
【発明が解決しようとする課題】
【０００４】
ところが前記従来のものは、載置台を岩盤上に正確に水平に設置しなければならないうえに、風雨の影響を受けないようにするため載置台を確りとカバーする必要があり、部品点数が多くなるだけでなく、設置作業に手間がかかるという問題がある。しかも前記従来のものは、いちいち設置現場まで行き、しかも夜間のように暗いところでは懐中電灯等の照明機器が無いと観測できないという問題があり、これらに本発明が解決せんとする課題がある。
【課題を解決するための手段】
【０００５】
本発明は、上記の如き実情に鑑みこれらの課題を解決することを目的として創作されたものであって、請求項１の発明は、岩盤の崩落予測器であって、該崩落予測器は、中空状のケーシングと、該ケーシングに施された経緯度の印と、ケーシングに封入された液状の第一の化学発光試薬と、該化学発光試薬を化学発光させるための第二の化学発光試薬をケーシングに注入するための注入手段とからなり、岩盤に固定した崩落予測器内に第二の化学発光試薬を注入することで発光した第一の化学発光試薬の表面が通る経緯度変化の観測ができるように構成されていることを特徴とする岩盤の崩落予測器である。
請求項２の発明は、第二の化学発光試薬の注入手段は針付きのシリンジであり、ケーシングには針を刺し通すことができるゴム質弾性を有した針通し部が設けられていることを特徴とする請求項１記載の岩盤の崩落予測器である。
請求項３の発明は、第二の化学発光試薬の注入手段は針無しのシリンジであり、ケーシングには、シリンジ先端を差し込んで発光触媒を注入するためのチューブが設けられていることを特徴とする請求項１記載の岩盤の崩落予測器である。
請求項４の発明は、岩盤の崩落予測方法であって、中空状のケーシングと、該ケーシングに施された経緯度の印と、ケーシングに封入された液状の第一の化学発光試薬とからなる崩落予測器を岩盤に固定し、該固定した崩落予測器内に第二の化学発光試薬を注入することに伴い化学発光した第一化学発光試薬の表面が通る経緯度変化の観測に基づいて岩盤の崩落予測ができるようにしたことを特徴とする岩盤の崩落予測方法である。
【発明の効果】
【０００６】
請求項１または４の発明とすることにより、岩盤に、正確に水平状に取り付ける必要はなく、しかも夜間、遠くからであっても化学発光によって試薬表面が観察できることになって岩盤の崩落予測が容易になる。
請求項２または３の発明とすることで、発光触媒の注入が簡単にできることになる。
【図面の簡単な説明】
【０００７】
【図１】第一の実施の形態を示す岩盤の崩落予測器の一部切欠き正面図である。
【図２】崩落予測器を岩盤に設置した状態を示す正面図である。
【図３】崩落予測器の斜視図である。
【図４】第二の実施の形態を示す岩盤の崩落予測器の天側から見た斜視図である。
【発明を実施するための形態】
【０００８】
次ぎに、本発明の実施の形態について図面に基づいて説明する。１は岩盤の崩落予測器であって、該崩落予測器１は、中空の球体をケーシング２として用いているが、該ケーシング２は、透明または半透明樹脂材を用いて構成されている。そしてケーシング２には、経線３と緯線４、そして経度３ａと緯度４ａとが印刷や切欠き（罫書き）等の適宜印形成手段で形成されていると共に、ケーシング２内には、鉄（ＩＩ）、銅（Ｉ）または補助酸化剤を存在させた状態のルミノールの塩基性の溶液（以下「ルミノール溶液」という）５が内容積の１／２の量で充填されている。さらにケーシング２の天面２ａにはゴム質弾性を有した素材で形成された針通し部２ｂが設けられている。ここでルミノール溶液は本発明の第一の化学発光試薬に相当する。
【０００９】
このように構成された崩落予測器１を、崩落の惧れがあると推定される岩盤Ｒに接着剤６で固定（接着）することになるが、この場合に、ルミノール溶液５が赤道を通るようにケーシング２を固定することが好ましい。このように固定した後のケーシング２について、ルミノール溶液５が横切るところの経線３、緯線４の経度３ａ、緯度４ａを正確に記録する。
【００１０】
７はシリンジ（注射器）であって、該シリンジ７は、筒体７ａと該筒体７ａの先端に取り付けられる針７ｂと、筒体７ａに摺動自在に挿入するピストン７ｃとから構成されている。そしてシリンジ７に過酸化水素水を吸入した状態で針７ｂを前記針通し部２ｂに刺し通した後、ピストン７ｃを押し込むことで過酸化水素水がケーシング２内に注入され、これによってルミノール溶液５は化学反応して励起状態となって化学発光をし、これによって夜間でもルミノール溶液５の表面５ａを確認できるようになっている。ここで過酸化水素水は本発明の第二の化学発光試薬に相当する。
【００１１】
この場合において、過酸化水素水中の過酸化水素（Ｈ２Ｏ２）の注入量は、ケーシングに添加したルミノールの添加量よりも少量（例えば当量計算として１／１００）にすることで、繰返して複数回（前記１／１００であった場合、理論的には１００回）の化学発光をさせ、夜間等の暗いところでもルミノール溶液５の表面５ａが通る経緯度を確認できるようになっている。
【００１２】
このようにルミノール溶液５の表面が通る経緯度を、定期的に、あるいは台風や大雨等の異常気象、地震があったようなときには不定期に係員が観測することになるが、ルミノール溶液５の表面５ａは、前述した過酸化水素水をケーシング２内に注入することに伴う化学発光によって夜間でも認識することができ、これを記録する。このようにして観測した記録について、ルミノール溶液５の表面５ａが横切る経度、緯度に変化が認められた場合、岩盤Ｒは移動していると判断し、要注意岩盤として観測を頻繁にし、例えば設置当初の状態から５度ほど傾いたときを崩落の惧れがある岩盤Ｒであるとして崩落予測をし、撤去したり補強したりの必要な措置をとるよう管理される。
【００１３】
叙述の如く構成された本発明の実施の形態において、岩盤Ｒに崩落予測器１を設置し、ルミノール溶液５の表面５ａが通る経緯度を経時的に測定することで岩盤Ｒの移動状態を知ることが化学発光によって夜間でもでき、しかもこの観測は、双眼鏡を使う等すれば夜間離れたところからでもでき、そして岩盤Ｒが予め設定される崩落予測角度だけ移動した場合に、崩落の惧れがある岩盤Ｒであるとして特定し、必要な措置を採ることができる。しかもこの場合に、経時変化をグラフ化しておくことで変化速度も知ることができ、これによって将来的な変化の予測もできることになる。
【００１４】
このように、本発明が実施されたものにおいては、岩盤Ｒの崩落予測ができるものであるが、ケーシング２内のルミノール溶液５の化学発光して光っている表面５ａが通る経緯度を経時的に測定するものであるため、設置時、ルミノール溶液５の表面５ａが正確に水平を向くように設置する必要はなく、誤差があっても問題なく観測ができるため、設置作業が簡単になる。しかもケーシング２にルミノール溶液を封入したものであるため、風雨等の影響を受けることもない。
【００１５】
しかもこのものでは、シリンジ７を用いて過酸化水素水を注入してルミノール溶液５を化学発光させることになるが、ルミノールは微量の過酸化水素で化学発光するため、ルミノール溶液５に過酸化水素水を注入してもルミノール溶液５の表面５ａが変化することは僅かであって、観測に影響を与えることはない。また増量したとしても、ルミノール溶液表面５ａは、岩盤Ｒに変化がなければ既観測面に対して平行面として観測され、移動したとすれば傾斜面として観測されるので、問題なく観測することができる。
【００１６】
またこのものはシリンジ７を用いて過酸化水素水を注入することになるが、針７ｂを刺し通す部位を、ゴム質弾性材で形成した針通し部２ｂとしているため、針７ｂを刺し通しやすいだけでなく、刺し通した針７ｂを抜き取った場合に、刺し通し孔がゴム質弾性の復元力によって塞がれることとなって、雨水等がケーシング内に浸入することを防止することができる。
【００１７】
尚、本発明は前記実施の形態のように、シリンジ７の針７ｂを刺し通して第二の化学発光試薬を注入するものに限定されないことは勿論であって、例えば図４に示すようにケーシング２にチューブ８を貫通状に設け、該チューブ８の先端に筒体７ａの先端部７ｄを差し込んで第二の化学発光試薬を注入するようにしても良い。この場合、チューブ８の先端には着脱自在な蓋体８ａを設けたものとし、普段はチューブ８を閉じた状態とすることで雨水等の浸入を防止することができる。
また、シリンジ７は現場に設けた収納容器に収納しておくこともできるが、過酸化水素水は新しいものが好ましく、そこで現場に持参するようにすることが好ましい。
【００１８】
さらにまた、本発明を実施するための化学発光試薬としては、ルミノールだけでなく、ロフィン、ルシゲニン、シュウ酸エステル等を例示することができ、さらには、サルチル酸ナトリウムのような触媒の存在下、シュウ酸ジフェニルと過酸化水素とが反応することによって添加してある蛍光染料が励起されて化学発光をするサイリュームを例示できる。サイリュームは、励起される蛍光染料に依存して発光色が変化する性質を持っている。
さらに注入手段としてはシリンジに限定されないことは勿論であって、ケーシングに開閉蓋を設け、該開閉蓋から第二の化学発光試薬を注入するようにしても実施することができる。
【００１９】
さらにまた、経緯度は岩盤姿勢の変化が観測できるものであれば特に限定されず、点表示されたもの、さらには傾斜状になっているものであっても良いことはいうまでもない。
またさらに、経緯度の表示としては、前記実施の形態では透光性のものに経緯度を描いたものとしたが、逆に、ケーシング２の表面を黒塗りする等して不透光にすると共に経緯度を切り抜きしたものとして内部流体が切り抜かれた経緯度を通して観測できるようにしても実施することができ、このようにした場合にはケーシングに充填されている第一の化学発光試薬が太陽光線を受ける等による劣化を低減することができる。
【符号の説明】
【００２０】
１    崩落予測器
２    ケーシング
２ａ  針通し部
３    経線
３ａ  経度
４    緯線
４ａ  緯度
５    ルミノール溶液
６    接着剤
７    シリンジ
７ｂ  針
８    チューブ
【図１】
2010223857.tif 000003
【図２】
2010223857.tif 000004
【図３】
2010223857.tif 000005
【図４】
2010223857.tif 000006